(57)【要約】【課題】  簡単で安価な構成で、電磁波の影響を防止した遮蔽部材を備えたストロボ装置。【解決手段】  被写体にて反射したストロボ光を受光する受光素子と、導電性の部材で形成し、前記受光素子をシールド遮蔽すると共に前記ストロボ光を通過させる孔を設けた遮蔽部材と、を備え、前記遮蔽部材を導電性パターンにおける接地パターンと接続したこと。【選択図】        図４
2006163229.tif 000002
【特許請求の範囲】
【請求項１】
被写体にて反射したストロボ光を受光する受光素子と、
導電性の部材で形成し、前記受光素子をシールド遮蔽すると共に前記ストロボ光を通過させる孔を設けた遮蔽部材と、を備え、
前記遮蔽部材をプリント配線基板に設けた接地パターンと接続したことを特徴とするストロボ装置。
【請求項２】
前記遮蔽部材は、プレス加工により形成されていることを特徴とする請求項１に記載のストロボ装置。
【請求項３】
前記遮蔽部材の端部を前記接地パターンに半田付けしたことを特徴とする請求項１又は請求項２に記載のストロボ装置。
【請求項４】
請求項１〜３の何れか１項に記載のストロボ装置を備えたことを特徴とするカメラ。
【発明の詳細な説明】
【技術分野】
【０００１】
本発明はカメラで撮影する際の補助光となるストロボ装置に関し、詳しくは自動調光ストロボの受光素子を電磁波から遮蔽する遮蔽部材に関する。
【背景技術】
【０００２】
カメラで撮影する際に補助光としてストロボ装置を用いた場合に、近距離から遠距離まで適正露出になるようにするために、従前はカメラの絞りを切り換え、近距離では小絞りに遠距離では大絞りにするフラッシュマチック機構が用いられていた。
【０００３】
しかし、近年は電子部品の進歩により、複雑な機構を不要とした自動調光ストロボが用いられている。自動調光ストロボは、カメラの絞りをストロボのガイドナンバーに応じた所定の値にセットしておけば、被写体で反射したストロボ光をストロボ回路と接続した受光素子（フォトトランジスタ等）が受光し、受光素子からの出力電流に基づいて適正露出になるとストロボの発光を停止させるストロボである。
【０００４】
このような自動調光ストロボは、最近は小型のレンズ付きフィルムユニット等にも内蔵されるようになり、ストロボ回路を形成する各電子部品が小さなプリント配線基板にまとめて実装されている。
【０００５】
一方、ストロボ回路を形成する電子部品の中には高電圧がかかり電磁波を発する発振トランスやトリガートランスがある。また、ストロボ光を発光する放電管はこれらのトランスと接続されているので、接続部分からは同様に電磁波を発する。
【０００６】
これらの電磁波を発する部品と受光素子とが共に小さなプリント配線基板に実装されていると、受光素子は電磁波の影響を受け易い。受光素子が電磁波の影響を受けると、出力電流にノイズが付加され、自動調光の精度に影響し、適正露出でない写真となる虞がある。
【０００７】
なお、受光素子は自動調光ストロボ以外にも用いられており、電磁波の影響を防止することを目的とした特許出願がある。
【０００８】
例えば、赤外光マイクロフォンの受光素子が電磁波の影響を受けてノイズや発振が生ずことがないように、受光素子の周囲を金網で形成した電磁シールド体で覆うようにした公開特許公報がある（特許文献１参照）。
【０００９】
また、フォトマイクロセンサの受光素子が電磁波の影響を受けて誤作動が生ずることがないように、発光素子や受光素子を収納した樹脂ケースの内側に導電層としての金属層を形成し、受光素子とその配線をシールドした公開特許公報がある（特許文献２参照）。
【特許文献１】特開平６−１６９２８８号公報
【特許文献２】特開平８−７０１３７号公報
【発明の開示】
【発明が解決しようとする課題】
【００１０】
しかしながら、特許文献１に記載の電磁シールド体は金網で形成されているので、複雑で高価である。
【００１１】
また、特許文献２に記載のケースの導電層に関しては、どのような方法で形成するのか具体的な形成方法の記載はないが、当該文献にはケースの内面に導電層が隈無く形成された図があり、このような導電層を形成すると、かなり原価高になることが予想される。
【００１２】
一方、レンズ付きフィルムユニットを含めたカメラは価格競争が激しく、これに内蔵するストロボ装置も低原価が要求される。従って、特許文献１，２に記載の手段が電磁波対策に有効であったとしても、カメラに用いることは困難である。
【００１３】
本発明はかかる問題に鑑みてなされたものであり、簡単で安価な構成で、電磁波の影響を防止した遮蔽部材を備えたストロボ装置、及びこのストロボ装置を備えたカメラを提案することを発明の目的とする。
【課題を解決するための手段】
【００１４】
上記目的は下記の手段によって達成される。
【００１５】
［請求項１］被写体にて反射したストロボ光を受光する受光素子と、導電性の部材で形成し、前記受光素子をシールド遮蔽すると共に前記ストロボ光を通過させる孔を設けた遮蔽部材と、を備え、前記遮蔽部材をプリント配線基板に設けた接地パターンと接続したことを特徴とするストロボ装置。
【００１６】
［請求項２］前記遮蔽部材は、プレス加工により形成されていることを特徴とする請求項１に記載のストロボ装置。
【００１７】
［請求項３］前記遮蔽部材の端部を前記接地パターンに半田付けしたことを特徴とする請求項１又は請求項２に記載のストロボ装置。
【００１８】
［請求項４］請求項１〜３の何れか１項に記載のストロボ装置を備えたことを特徴とするカメラ。
【発明の効果】
【００１９】
請求項１に記載のストロボ装置によれば、遮蔽部材により受光素子を電磁波からシールドすることができると共に、遮蔽部材を接地することができる。
【００２０】
請求項２に記載のストロボ装置によれば、遮蔽部材を安価に形成することができる。
【００２１】
請求項３に記載のストロボ装置によれば、遮蔽部材をプリント配線基板の接地パターンである導電性パターンに簡単に接続でき、且つ、遮蔽部材をプリント配線基板に保持させることができる。
【００２２】
請求項４に記載のカメラによれば、上記効果を奏することができる。
【発明を実施するための最良の形態】
【００２３】
以下に、本発明のストロボ装置に関する実施の形態を図を参照して詳細に説明する。
【００２４】
先ず、自動調光ストロボ装置を内蔵したレンズ付きフィルムユニットの一例を図１に基づいて説明する。図１はレンズ付きフィルムユニットの前方斜視図である。
【００２５】
図１において、レンズ付きフィルムユニット１の内部機構や予め装填したフィルムは前面側から前カバー１１により被覆され、背面側から後カバー１２により被覆されている。前カバー１１の前面中央には撮影レンズ２１が配置され、その上方にはファインダの対物レンズ２２が配置されている。対物レンズ２２の右にはストロボ光を発光する発光パネル２３が配置され、その右方には被写体で反射したストロボ光を受光する受光部窓２４、その下方にはストロボのメインスイッチを作動させるストロボスイッチレバー２５がそれぞれ配置されている。
【００２６】
前カバー１１の上面にはレリーズ釦２６と指数器窓２７が配置され、後カバー１２の上面にはストロボが充電したことを示す充電表示窓２８が配置されている。また、後カバー１２の背面には巻上げノブ２９が突出している。
【００２７】
なお、３１，３２，３３は各々ラベルであり、前カバー１１と後カバー１２の見苦しい部所を被覆すると共に、商品名や簡単な使用説明等が印刷されている。
【００２８】
次に、本発明のストロボ装置の一例を図２乃至図４に基づいて説明する。
【００２９】
図２は自動調光ストロボの回路図、図３は遮蔽部材を装着する前のストロボ装置の斜視図、図４は遮蔽部材を装着する後のストロボ装置の斜視図、図５は受光素子と遮蔽部材の縦断面図である。
【００３０】
先ず、自動調光ストロボの動作を図２のストロボ回路に基づいて説明する。
【００３１】
ストロボスイッチレバー２５の操作によりメインスイッチＳ1，Ｓ2をオンにすると、電池Ｂの電流が抵抗Ｒ1を介してトランジスタＴＲ1に流れて発振を開始し、発振トランスＴの二次側は３００〜３５０Ｖの高圧に昇圧される。この二次側の電流をダイオードＤ1によって整流し、抵抗Ｒ3と直列に接続されたトリガーコンデンサＣT及びメインコンデンサＣMを充電する。メインコンデンサＣMが所定の電圧に充電されると、抵抗Ｒ2と直列に接続された発光ダイオードＤLが点灯するので、充電表示窓２８から視認でき、撮影可能であることが分かる。
【００３２】
撮影のときにはレリーズ釦２６を押下すると、不図示のシャッタ羽根の開放動作に連動してトリガースイッチＳTがオンになる。これによって、トリガーコンデンサＣT、トリガースイッチＳT、トリガートランスＴCの一次側、及びメインスイッチＳ1，Ｓ2によって閉回路が形成され、トリガーコンデンサＣTに充電されていた電荷がトリガートランスＴCの一次側に放電する。この結果、トリガートランスＴCの二次側には更なる高圧が発生し、キセノン管Ｘｅのトリガー電極に印加されるので、キセノン管Ｘｅの中のイオン化されたキセノン原子が陰極より飛び出した電子と衝突して励起され、メインコンデンサＣMの放電に伴ってキセノン管Ｘｅが発光し、発光パネル２３を通過して被写体に照射する。
【００３３】
次に、本ストロボ回路の調光動作について説明する。
【００３４】
トリガースイッチＳTがオンになると、メインコンデンサＣMの電荷の一部がトリガートランスＴCの一次側及びトリガースイッチＳTを通って電流ｉ1となって抵抗Ｒ3に流れる。また、トリガーコンデンサＣTが放電した後、メインコンデンサＣMの電荷の一部がトリガーコンデンサＣTを充電すべく電流ｉ2となって抵抗Ｒ3に流れる。ここで、抵抗Ｒ3と抵抗Ｒ3の側をカソードとしたツェナーダイオードＤTとが直列に接続されているので、ツェナーダイオードＤTには電流ｉ1と電流ｉ2とを加えた電流ｉが流れる。
【００３５】
また、受光部窓２４の後方に位置するフォトセンサＰｈとコンデンサＣPとが直列に接続され、更にツェナーダイオードＤTと並列に接続されている。フォトセンサＰｈとコンデンサＣPとの接続部分は抵抗Ｒ4を介してトランジスタＴＲ2のベースと接続され、トランジスタＴＲ2のエミッタがサイリスタＳのゲートに接続されている。サイリスタＳはダンパー用のチョークコイルＣCと直列に接続され、これらはキセノン管Ｘｅと並列に接続されている。
【００３６】
なお、受光素子としてのフォトセンサＰｈは、フォトトランジスタであってもフォトダイオードであってもよい。
【００３７】
従って、サイリスタＳがオンになると、キセノン管Ｘｅに流れる電流よりも大電流がチョークコイルＣCに流れてメインコンデンサＣMの電荷は急速に消費され、キセノン管Ｘｅの発光が停止されるようになっている。
【００３８】
ツェナーダイオードＤTに電流ｉが流れ、ツェナーダイオードＤTの両端にツェナー電圧が生じると、被写体の反射光に応じてフォトセンサＰｈに電流が流れる。撮影距離が近距離であれば被写体によって反射したストロボ光は強くなり、フォトセンサＰｈに流れる電流は大きくなる。従って、コンデンサＣPへの充電は早い。一方、撮影距離が遠距離であれば被写体によって反射したストロボ光は弱くなり、フォトセンサＰｈに流れる電流は小さくなる。従って、コンデンサＣPへの充電は遅い。
【００３９】
この結果、近距離であれば、トランジスタＴＲ2はオンになるのが早く、サイリスタＳもオンになるのが早いので、キセノン管Ｘｅの発光途中でメインコンデンサＣMの電荷が急速にチョークコイルＣCにより消費されて、キセノン管Ｘｅの発光は早めに停止する。一方、遠距離であれば、トランジスタＴＲ2はオンになるのが遅く、サイリスタＳもオンになるのが遅いので、キセノン管Ｘｅは遅めに発光停止する。従って、絞りが一定であっても撮影距離に応じて被写体からの反射光が変化してストロボの総発光量が変化するので、撮影距離が変化しても略一定の露光量が得られる。
【００４０】
次に、図３において、プリント配線基板４０には上述の如くストロボ回路を構成する多数の電子部品が実装されているが、本図では主な部品のみが描かれている。キセノン管Ｘｅは背面に反射鏡４１が密着し、図１に示した発光パネル２３の後方に配置される。キセノン管Ｘｅと反射鏡４１は樹脂製でプリント配線基板４０に固定された保持部材４２によって保持されている。プリント配線基板４０における保持部材４２の前方には、左から発振トランスＴ、トリガートランスＴC、フォトセンサＰｈが実装されている。
【００４１】
また、発振トランスＴ、トリガートランスＴCは高電圧がかかり電磁波を発する。放電管Ｘｅもこれらのトランスと接続されているので、接続部分からは同様に電磁波を発する。従って、これらの部品とフォトセンサＰｈが共に小さなプリント配線基板４０に実装されていて、互いに近くに位置するので、フォトセンサＰｈは電磁波の影響を受け易い。フォトセンサＰｈが電磁波の影響を受けると、出力電流にノイズが付加され、自動調光の精度に影響し、適正露出でない写真となる虞がある。
【００４２】
そこで、図４及び図５に示すように、フォトセンサＰｈを金属製の導電性の遮蔽部材５０で遮蔽して、電磁波よりシールドしている。遮蔽部材５０はアルミニュウムやリン青銅からプレス加工によって形成され、銅メッキやニッケルメッキが施されている。そして、遮蔽部材５０の上部には被写体にて反射したストロボ光をフォトセンサＰｈに入射させるために通過させる孔５０ａが空いている。
【００４３】
また、遮蔽部材５０の下部端部には取付部５０ｂが設けられ、プリント配線基板４０に設けた接地パターンである導電性パターン４０ａと接続し、導通している。この接続に当たって、遮蔽部材５０をプリント配線基板４０にネジ止めしてもよいが、取付部５０ｂを導電性パターン４０ａに半田付けするのが、簡単で安価に構成できる。なお、取付部５０ｂは導電性パターンと接続すると共に、プリント配線基板４０に遮蔽部材５０を固定するためのものであるので、少なくとも二つの取付部５０ｂ，５０ｃを設けることが望ましい。従って、例えば取付部５０ｂが接続する導電性パターン４０ａは接地パターンであるが、取付部５０ｃが接続する導電性パターン４０ｂは何処にも接続しない島状の導電性パターンでよい。
【図面の簡単な説明】
【００４４】
【図１】レンズ付きフィルムユニットの前方斜視図である。
【図２】自動調光ストロボの回路図である。
【図３】遮蔽部材を装着する前のストロボ装置の斜視図である。
【図４】遮蔽部材を装着する後のストロボ装置の斜視図である。
【図５】受光素子と遮蔽部材の縦断面図である。
【符号の説明】
【００４５】
４０  プリント配線基板
４０ａ，４０ｂ  導電性パターン
５０  遮蔽部材
５０ａ  孔
５０ｂ，５０ｃ  取付部
Ｘｅ  キセノン管
Ｔ  発振トランス
ＴC  トリガートランス
Ｐｈ  フォトセンサ
【図１】
2006163229.tif 000003
【図２】
2006163229.tif 000004
【図３】
2006163229.tif 000005
【図４】
2006163229.tif 000006
【図５】
2006163229.tif 000007